(57)【要約】      （修正有）【課題】路面と接触することによって一定の空間を形成する気室部と、気室部及び周方向溝に連通する狭窄溝部とを有するヘルムホルツ型共鳴器が設けられる場合において、小石などのかみ込みを防止しつつ、気柱管共鳴音を効果的に低減したタイヤを提供する。【解決手段】空気入りタイヤでは、凹部分１３１がタイヤ周方向に沿って所定の間隔で繰り返す気室部１３０Ａと、凹部分１３１に連通する狭窄溝部１２１とがリブ状陸部１１０に形成される。高さＨは、タイヤ周方向に沿って変化する。底面１３２の位置は、接地面までの高さが最も高い最高位置において接地面と略同一である。狭窄溝部１２１と路面とによって形成される空間の容積は、凹部分１３１と路面とによって形成される空間の容積よりも小さい。狭窄溝部１２１の端部１２１ａは、凹部分１３１に連通するとともに、狭窄溝部１２１の端部１２１ｂは、周方向溝１１に連通する。【選択図】図２
2011006048.tif 000002
【特許請求の範囲】
【請求項１】
タイヤ周方向に沿って延びる周方向溝に隣接し、タイヤ周方向に沿って延びるリブ状陸部を備えるタイヤであって、
タイヤ径方向内側に向かって凹んだ凹部分がタイヤ周方向に沿って所定の間隔で繰り返す気室部と、
前記凹部分に連通する狭窄溝部と
が前記リブ状陸部に形成され、
前記気室部の底面から前記リブ状陸部が路面と接地する接地面までの高さは、タイヤ周方向に沿って変化し、
前記狭窄溝部と前記路面とによって形成される空間の容積は、前記凹部分と前記路面とによって形成される空間の容積よりも小さく、
前記狭窄溝部の一端は、前記気室部と前記路面とによって形成される閉空間に連通するとともに、前記狭窄溝部の他端は、前記周方向溝に連通するタイヤ。
【請求項２】
前記気室部の底面は、前記接地面までの高さが最も高い最高位置において、前記路面と接触する請求項１に記載のタイヤ。
【請求項３】
前記気室部の底面は、タイヤ周方向と異なる方向に沿って前記路面と線接触する請求項２に記載のタイヤ。
【請求項４】
前記狭窄溝部の一端は、前記底面の位置が最も低い最低位置において、前記凹部分に連通する請求項１乃至３の何れか一項に記載のタイヤ。
【請求項５】
前記気室部の底面は、タイヤ周方向に沿った断面視において、円弧を形成するアーチ状を繰り返す請求項１乃至４の何れか一項に記載のタイヤ。
【請求項６】
前記円弧の中心は、前記底面よりもタイヤ径方向内側に位置する請求項５に記載のタイヤ。
【請求項７】
前記気室部の底面は、タイヤ周方向に沿った断面視において正弦波の形状である請求項１乃至４の何れか一項に記載のタイヤ。
【請求項８】
前記気室部は、
第１気室部と、
トレッド幅方向において前記第１気室部と異なる位置に設けられる第２気室部と
を含み、
前記第２気室部の底面の形状は、前記第１気室部の底面の形状と略同一であり、
前記第１気室部と前記第２気室部とは、前記凹部分が前記所定の間隔で繰り返し、
前記第１気室部の底面の前記最高位置と、前記第２気室部の底面の前記最高位置とは、タイヤ周方向において、前記所定の間隔の半位相ずれている請求項１乃至７の何れか一項に記載のタイヤ。
【請求項９】
前記第１気室部と前記第２気室部とは、同一の前記リブ状陸部に設けられる請求項８に記載のタイヤ。
【請求項１０】
前記リブ状陸部のタイヤ周方向に沿った縁部分のうち、少なくとも前記狭窄溝部と連通した部分には、面取り部が形成され、
前記面取り部は、トレッド幅方向及びタイヤ径方向に沿った断面において、曲線によって構成される請求項１乃至９の何れか一項に記載のタイヤ。
【請求項１１】
前記気室部の前記底面の位置が最も高い最高位置は、トレッド面視において、トレッド幅方向に傾斜する請求項１乃至１０の何れか一項に記載のタイヤ。
【請求項１２】
前記気室部の前記底面の位置が最も低い最低位置は、トレッド面視において、トレッド幅方向に傾斜する請求項１乃至１１の何れか一項に記載のタイヤ。
【請求項１３】
前記リブ状陸部と前記気室部との間には、タイヤ周方向に沿って延びるとともに、少なくとも一端が前記凹部分に連通する周方向サイプが形成される請求項１乃至１２の何れか一項に記載のタイヤ。
【発明の詳細な説明】
【技術分野】
【０００１】
本発明は、タイヤ周方向に沿って延びる周方向溝に隣接したリブ状陸部を備えるタイヤに関し、特に、気室部と狭窄溝部とを有するヘルムホルツ型共鳴器がリブ状陸部に設けられたタイヤに関する。
【背景技術】
【０００２】
近年、乗用自動車などでは、車両騒音（風切り音や機械音など）の低減化が一層進展したことや、環境へのさらなる配慮に伴って、タイヤ騒音の低減化の要求が以前にも増して高まっている。
【０００３】
タイヤ騒音のうち、タイヤ周方向に沿って延びる周方向溝と路面とによって形成される気柱管共鳴音を低減するため、トレッドが路面と接触することによって一定の空間を形成する気室部と、気室部及び周方向溝に連通する狭窄溝部とを有するヘルムホルツ型共鳴器がタイヤ周方向に沿って延びるリブ状陸部に設けられたタイヤが知られている（例えば、特許文献１）。
【先行技術文献】
【特許文献】
【０００４】
【特許文献１】特開２００８−１７９２８９号公報（第４−５頁、第３図）
【発明の概要】
【発明が解決しようとする課題】
【０００５】
しかしながら、上述した従来のタイヤには、次のような問題があった。すなわち、リブ状陸部に設けられたヘルムホルツ型共鳴器、具体的には気室部が小石などをかみ込む、いわゆる「石かみ」が起き易く、タイヤ騒音の増大原因となる。結局、気柱管共鳴音の低減に配慮したトレッドパターンであるにもかかわらず、タイヤ騒音を効果的に低減できない問題があった。勿論、気室部のサイズを大きくすれば、石かみは減少するが、気柱管共鳴音を効果的に低減できない別の問題を惹起する。
【０００６】
そこで、本発明は、路面と接触することによって一定の空間を形成する気室部と、気室部及び周方向溝に連通する狭窄溝部とを有するヘルムホルツ型共鳴器が設けられる場合において、小石などのかみ込みを防止しつつ、気柱管共鳴音を効果的に低減したタイヤの提供を目的とする。
【課題を解決するための手段】
【０００７】
上述した課題を解決するため、本発明は、次のような特徴を有している。まず、本発明の第１の特徴は、タイヤ周方向（方向Ｄ１）に沿って延びる周方向溝（例えば、周方向溝１１）に隣接し、タイヤ周方向に沿って延びるリブ状陸部（リブ状陸部１１０）を備えるタイヤ（空気入りタイヤ１０）であって、タイヤ径方向内側に向かって凹んだ凹部分（凹部分１３１）がタイヤ周方向に沿って所定の間隔（間隔Ｐ）で繰り返す気室部（例えば、気室部１３０Ａ）と、前記凹部分に連通する狭窄溝部（狭窄溝部１２１）とが前記リブ状陸部に形成され、前記気室部の底面（底面１３２）から前記リブ状陸部が路面（路面ＲＳ）と接地する接地面（例えば、陸部１２０Ａ）までの高さ（高さＨ）は、タイヤ周方向に沿って変化し、前記狭窄溝部と前記路面とによって形成される空間の容積は、前記凹部分と前記路面とによって形成される空間の容積よりも小さく、前記狭窄溝部の一端（端部１２１ａ）は、前記気室部と前記路面とによって形成される閉空間に連通するとともに、前記狭窄溝部の他端（端部１２１ｂ）は、前記周方向溝に連通することを要旨とする。
【０００８】
本発明の第２の特徴は、本発明の第１の特徴に係り、前記気室部の底面は、前記接地面までの高さが最も高い最高位置（最高位置１３２ａ）において、前記路面と接触することを要旨とする。
【０００９】
本発明の第３の特徴は、本発明の第２の特徴に係り、前記気室部の底面は、タイヤ周方向と異なる方向に沿って前記路面と線接触することを要旨とする。
【００１０】
本発明の第４の特徴は、本発明の第１乃至第３の特徴に係り、前記狭窄溝部の一端は、前記底面の位置が最も低い最低位置（最低位置１３２ｂ）において、前記凹部分に連通することを要旨とする。
【００１１】
本発明の第５の特徴は、本発明の第１乃至第４の特徴に係り、前記気室部の底面は、タイヤ周方向に沿った断面視において、円弧を形成するアーチ状を繰り返すことを要旨とする。
【００１２】
本発明の第６の特徴は、本発明の第５の特徴に係り、前記円弧の中心は、前記底面よりもタイヤ径方向内側に位置することを要旨とする。
【００１３】
本発明の第７の特徴は、本発明の第１乃至第４の特徴に係り、前記気室部の底面は、タイヤ周方向に沿った断面視において正弦波の形状であることを要旨とする。
【００１４】
本発明の第８の特徴は、本発明の第１乃至第７の特徴に係り、前記気室部は、第１気室部（気室部１３０Ａ）と、トレッド幅方向（方向Ｄ２）において前記第１気室部と異なる位置に設けられる第２気室部（気室部１３０Ｂ）とを含み、前記第２気室部の底面の形状は、前記第１気室部の底面の形状と略同一であり、前記第１気室部と前記第２気室部とは、前記凹部分が前記所定の間隔で繰り返し、前記第１気室部の底面の前記最高位置と、前記第２気室部の底面の前記最高位置とは、タイヤ周方向において、前記所定の間隔の半位相ずれていることを要旨とする。
【００１５】
本発明の第９の特徴は、本発明の第８の特徴に係り、前記第１気室部と前記第２気室部とは、同一の前記リブ状陸部に設けられることを要旨とする。
【００１６】
本発明の第１０の特徴は、本発明の第１乃至９の特徴に係り、前記リブ状陸部のタイヤ周方向に沿った縁部分のうち、少なくとも前記狭窄溝部と連通した部分には、面取り部（面取り部１５０）が形成され、前記面取り部は、トレッド幅方向及びタイヤ径方向に沿った断面において、曲線によって構成されることを要旨とする。
【００１７】
本発明の第１１の特徴は、本発明の第１乃至１０の特徴に係り、前記気室部の前記底面の位置が最も高い最高位置は、トレッド面視において、トレッド幅方向に傾斜することを要旨とする。
【００１８】
本発明の第１２の特徴は、本発明の第１乃至１１の特徴に係り、前記気室部の前記底面の位置が最も低い最低位置は、トレッド面視において、トレッド幅方向に傾斜することを要旨とする。
【００１９】
本発明の第１３の特徴は、本発明の第１乃至１２の特徴に係り、前記リブ状陸部と前記気室部との間には、タイヤ周方向に沿って延びるとともに、少なくとも一端が前記凹部分に連通する周方向サイプが形成されることを要旨とする。
【発明の効果】
【００２０】
本発明の特徴によれば、路面と接触することによって一定の空間を形成する気室部と、気室部及び周方向溝に連通する狭窄溝部とを有するヘルムホルツ型共鳴器が設けられる場合において、小石などのかみ込みを防止しつつ、気柱管共鳴音を効果的に低減したタイヤを提供できる。
【図面の簡単な説明】
【００２１】
【図１】第１実施形態に係る空気入りタイヤ１０の一部正面図である。
【図２】第１実施形態に係る陸部１２０Ａの部分を省略したリブ状陸部１１０の一部斜視図である。
【図３】第１実施形態に係るヘルムホルツ型共鳴器Ｒ１のトレッド幅方向視における形状を示す図である。
【図４】第１実施形態に係るヘルムホルツ型共鳴器Ｒ１のトレッド平面視における形状を示す図である。
【図５】第１実施形態に係るリブ状陸部２１０の一部を省略したリブ状陸部２１０及びリブ状陸部２４０の一部斜視図である。
【図６】第１実施形態に係る図９に示したＦ１０−Ｆ１０線に沿った気室部２２０の断面図である。
【図７】第１実施形態に係るヘルムホルツ型共鳴器Ｒ２のトレッド幅方向視における形状を示す図である。
【図８】第１実施形態に係るリブ状陸部２１０及びリブ状陸部２４０の一部拡大平面図である。
【図９】第２実施形態に係る空気入りタイヤ１０Ａの一部正面図である。
【図１０】本発明の変更例１に係る気室部を示す図である。
【図１１】本発明の変更例２に係る気室部を示す図である。
【図１２】本発明の変更例３に係る気室部を示す図である。
【図１３】本発明の変更例４に係るリブ状陸部１１０Ａの一部を示す図である。
【図１４】本発明の変更例５に係る気室部１３０Ａ及び気室部１３０Ｂのトレッド平面視における形状を示す図である。
【図１５】本発明の変更例６に係るリブ状陸部１１０Ｂの一部を示す図である。
【発明を実施するための形態】
【００２２】
次に、本発明に係るタイヤの実施形態について、図面を参照しながら説明する。具体的には、第１実施形態、第２実施形態、変更例、及びその他の実施形態について説明する。
【００２３】
なお、以下の図面の記載において、同一または類似の部分には、同一または類似の符号を付している。但し、図面は模式的なものであり、各寸法の比率などは現実のものとは異なることに留意されたい。
【００２４】
したがって、具体的な寸法などは以下の説明を参酌して判断すべきである。また、図面相互間においても互いの寸法の関係や比率が異なる部分が含まれている場合がある。
【００２５】
［第１実施形態］
以下において、第１実施形態に係る空気入りタイヤ１０について説明する。具体的には、（１）タイヤの全体概略構成、（２）リブ状陸部の形状、及び（３）作用・効果について説明する。
【００２６】
（１）タイヤの全体概略構成
図１は、空気入りタイヤ１０の一部正面図である。なお、第１実施形態に係る空気入りタイヤ１０の回転方向については、図１の方向ＤＲである。
【００２７】
空気入りタイヤ１０には、複数の周方向溝が形成される。また、空気入りタイヤ１０には、当該周方向溝によって区画され、タイヤ周方向（図１の方向Ｄ１）に沿って延びる複数のリブ状陸部が設けられる。空気入りタイヤ１０は、気柱管共鳴音などのタイヤ騒音の低減に配慮されたタイヤであり、高い静粛性が要求される乗用自動車などに装着される。なお、空気入りタイヤ１０には、空気ではなく、窒素ガスなどの不活性ガスを充填してもよい。
【００２８】
具体的には、空気入りタイヤ１０には、周方向溝１１，１２，２１及び２２が形成される。周方向溝１１，１２，２１及び２２は、タイヤ周方向に沿って延びる。
【００２９】
周方向溝１１と周方向溝１２との間には、リブ状陸部１１０が設けられる。すなわち、リブ状陸部１１０は、周方向溝１１及び周方向溝１２に隣接し、タイヤ周方向に沿って延びる。
【００３０】
周方向溝１２と周方向溝２１との間には、リブ状陸部２１０が設けられる。また、周方向溝２１と周方向溝２２との間には、リブ状陸部２４０が設けられる。リブ状陸部２１０及びリブ状陸部２４０もリブ状陸部１１０と同様にタイヤ周方向に沿って延びる。
【００３１】
リブ状陸部１１０には、タイヤ径方向内側に向かって凹んだ凹部分がタイヤ周方向に沿って所定の間隔で繰り返す気室部１３０Ａ及び気室部１３０Ｂ（図２参照）が設けられる。
【００３２】
リブ状陸部２１０には、気室部２２０（図５参照）がタイヤ周方向に沿って複数設けられる。同様に、リブ状陸部２４０には、気室部２５０（図５参照）がタイヤ周方向に沿って複数設けられる。
【００３３】
周方向溝１１，２２のトレッド幅方向（図１の方向Ｄ２）外側には、リブ状陸部３１０，３２０が設けられる。リブ状陸部３１０には、トレッド幅方向外側端がトレッド幅方向内側端よりもタイヤ回転方向（方向ＤＲ）の後方に位置する傾斜細溝３１１が複数設けられる。リブ状陸部３２０には、トレッド幅方向外側端がトレッド幅方向内側端よりもタイヤ回転方向（方向ＤＲ）の前方に位置する傾斜細溝３２１が複数設けられる。
【００３４】
つまり、第１実施形態に係る空気入りタイヤ１０、右上がりパターンを有している（図１参照）。この場合、空気入りタイヤ１０のバランスを考慮して、不図示のベルト層を構成するコードは、トレッド面視においてトレッドパターンとは逆側に傾斜している（すなわち、左上がりコードである）ことが好ましい。
【００３５】
（２）リブ状陸部の形状
次に、リブ状陸部の形状について説明する。具体的には、リブ状陸部１１０及びリブ状陸部２１０，２４０の形状について説明する。
【００３６】
（２．１）リブ状陸部１１０
図２は、陸部１２０Ａの部分を省略したリブ状陸部１１０の一部斜視図である。図２に示すように、リブ状陸部１１０は、陸部１２０Ａ、陸部１２０Ｂ及び陸部１４０を有する。陸部１２０Ａ、陸部１２０Ｂ及び陸部１４０は、空気入りタイヤ１０が転動することによって路面ＲＳ（図２において不図示、図３参照）と接地する。すなわち、陸部１２０Ａ、陸部１２０Ｂ及び陸部１４０は、路面ＲＳと接地する空気入りタイヤ１０の接地面を構成する。
【００３７】
陸部１２０Ａ及び陸部１２０Ｂは、リブ状陸部１１０のトレッド幅方向（方向Ｄ２）における両端に設けられる。陸部１２０Ａは、周方向溝１１に隣接する。陸部１２０Ｂは、周方向溝１２に隣接する。
【００３８】
また、リブ状陸部１１０には、気室部１３０Ａ及び気室部１３０Ｂが設けられる。気室部１３０Ａは、陸部１２０Ａと陸部１４０との間に設けられる。気室部１３０Ａには、タイヤ径方向内側に向かって凹んだ凹部分１３１が形成される。
【００３９】
図２に示すように、凹部分１３１は、タイヤ周方向に沿って間隔Ｐ（所定の間隔）で繰り返される。
【００４０】
気室部１３０Ａと気室部１３０Ｂとは、同一のリブ状陸部（リブ状陸部１１０）に設けられるが、気室部１３０Ｂは、トレッド幅方向（方向Ｄ２）において気室部１３０Ａと異なる位置に設けられる。具体的には、気室部１３０Ｂは、陸部１２０Ｂと陸部１４０との間に設けられる。気室部１３０Ｂの形状は、気室部１３０Ａと同一である。つまり、気室部１３０Ａと気室部１３０Ｂとは、凹部分１３１が間隔Ｐで繰り返される。第１実施形態において、気室部１３０Ａは、第１気室部を構成し、気室部１３０Ｂは、第２気室部を構成する。
【００４１】
気室部１３０Ａ及び気室部１３０Ｂの形状は同一であるため、以下、気室部１３０Ａの形状について主に説明する。図２に示すように、気室部１３０Ａの底面１３２は、タイヤ周方向に沿った断面視において、円弧を形成するアーチ状を繰り返す。つまり、気室部１３０Ａの底面１３２から接地面（例えば、路面ＲＳと接地する陸部１２０Ａの表面）までの高さＨは、タイヤ周方向に沿って変化する。底面１３２の円弧の中心ＣＴ１は、底面１３２よりもタイヤ径方向内側に位置する。
【００４２】
底面１３２は、接地面までの高さが最も高い最高位置１３２ａにおいて路面ＲＳと接触する。具体的には、底面１３２は、タイヤ周方向と異なる方向に沿って路面ＲＳと線接触する。つまり、底面１３２は、路面ＲＳと接触する底面１３２のタイヤ周方向に沿った幅が極力狭くなるような形状を有する。
【００４３】
なお、底面１３２の最高位置１３２ａは、トレッド面視において、トレッド幅方向（方向Ｄ２）に沿っている。すなわち、最高位置１３２ａのトレッド幅方向における外側端１３２ｅ１と、最高位置１３２ａのトレッド幅方向における内側端１３２ｅ２とは、トレッド幅方向に対して略同一である（図２及び後述する図４参照）。
【００４４】
気室部１３０Ｂの底面の形状は、底面１３２の形状と同一であるが、気室部１３０Ａの底面１３２の最高位置１３２ａと、気室部１３０Ｂの底面の最高位置１３２ａとは、タイヤ周方向において、間隔Ｐの半位相ずれている。
【００４５】
また、陸部１２０Ａには、狭窄溝部１２１及び細溝１２２が形成される。狭窄溝部１２１及び細溝１２２は、溝幅が数ｍｍ程度の細溝である。狭窄溝部１２１は、凹部分１３１に連通する。狭窄溝部１２１と路面ＲＳとによって形成される空間の容積は、凹部分１３１と路面とによって形成される空間よりも容積が小さい。なお、狭窄溝部１２１及び細溝１２２は、トレッド幅方向外側端がトレッド幅方向内側端よりもタイヤ回転方向（方向ＤＲ）の後方に位置する。
【００４６】
図３及び図４は、空気入りタイヤ１０と路面ＲＳとによって形成されるヘルムホルツ型共鳴器Ｒ１の形状を示す。具体的には、図３は、トレッド幅方向視におけるヘルムホルツ型共鳴器Ｒ１の形状を示す。図４は、トレッド平面視におけるヘルムホルツ型共鳴器Ｒ１の形状を示す。図３及び図４に示すように、狭窄溝部１２１と、凹部分１３１を有する気室部１３０Ａとは、ヘルムホルツ型共鳴器Ｒ１を構成する。
【００４７】
上述したように、気室部１３０Ａの底面１３２から接地面までの高さＨは、タイヤ周方向に沿って変化するが、間隔Ｐ毎に繰り返される複数の最高位置１３２ａが路面ＲＳと接するため、狭窄溝部１２１に連通する気室が形成される。つまり、互いに隣接する２つの最高位置１３２ａ間の底面１３２と、陸部１２０Ａ及び陸部１４０に接する路面ＲＳとによって、ヘルムホルツ型共鳴器Ｒ１用の気室が形成される。なお、ヘルムホルツ型共鳴器Ｒ１を用いた気柱管共鳴音の低減方法については、本明細書に記載した先行技術文献など開示されているため、ここでの説明は省略する。
【００４８】
図２に示すように、狭窄溝部１２１の一端（端部１２１ａ）は、気室部１３０Ａと路面ＲＳとによって形成される閉空間に連通する。具体的には、端部１２１ａは、凹部分１３１と、凹部分１３１のタイヤ周方向における両端に形成される最高位置１３２ａと、路面ＲＳとによって形成される閉空間に連通する。
【００４９】
一方、狭窄溝部１２１の他端（端部１２１ｂ）は、周方向溝１１に連通する。第１実施形態では、端部１２１ａは、底面１３２の位置が最も低い最低位置１３２ｂにおいて、凹部分１３１に連通する。このため、ヘルムホルツ型共鳴器Ｒ１は、一端のみが開口し、他端などは閉口している。
【００５０】
なお、底面１３２の最低位置１３２ｂは、トレッド面視において、トレッド幅方向（方向Ｄ２）に沿っている。すなわち、最低位置１３２ｂのトレッド幅方向における外側端１３２ｅ３と、最低位置１３２ｂのトレッド幅方向における内側端１３２ｅ４とは、トレッド幅方向に対して略同一である（図２及び図４参照）。
【００５１】
細溝１２２は、周方向溝１１にのみ連通する。つまり、細溝１２２は、凹部分１３１には連通していない。このため、細溝１２２は、ヘルムホルツ型共鳴器Ｒ１の構成要素とはなっていない。
【００５２】
（２．２）リブ状陸部２１０，２４０
図５は、リブ状陸部２１０の一部を省略したリブ状陸部２１０及びリブ状陸部２４０の一部斜視図である。図５に示すように、リブ状陸部２１０には、路面ＲＳ（図７参照）と接地する陸部２１１、及び複数の気室部２２０が設けられる。複数の気室部２２０は、タイヤ周方向に沿って設けられる。リブ状陸部２４０には、陸部２１１と同一形状の陸部２４１、及び気室部２２０と同一形状の気室部２５０が設けられる。リブ状陸部２４０は、トレッド幅方向においてリブ状陸部２１０と異なる位置に設けられる。第１実施形態において、リブ状陸部２１０は、第１リブ状陸部を構成し、リブ状陸部２４０は、第２リブ状陸部を構成する。
【００５３】
気室部２２０及び気室部２５０の形状は同一であるため、以下、気室部２２０の形状について主に説明する。図６は、図５に示したＦ６−Ｆ６線に沿った気室部２２０の断面図である。図５及び図６に示すように、気室部２２０は、タイヤ径方向内側に向かって凹んだ凹部分２２１を有する。
【００５４】
陸部２１１が路面と接地する接地面（路面ＲＳと接地する陸部２１１の表面）を基準とする凹部分２２１の深さＤＰ１は、タイヤ周方向における気室部２２０の一端（タイヤ回転方向（方向ＤＲ）の後方に位置する端部２２０ｂ、図５参照）において気室部２２０の他端（タイヤ回転方向の前方に位置する端部２２０ａ、図５参照）よりも深い。また、凹部分２２１の底面２２２から接地面までの高さは、タイヤ周方向に沿って変化している。
【００５５】
凹部分２２１の底面２２２は、タイヤ周方向に沿った断面視において、曲線状である曲線部分２２３を有する。曲線部分２２３に沿った円弧の中心ＣＴ２は、底面２２２よりもタイヤ径方向内側に位置する。なお、曲線部分２２３は、複数の円弧によって構成されてもよい。この場合、中心ＣＴ２は、当該複数の円弧によって形成された曲線に近似したひとつの円弧の中心とする。
【００５６】
また、底面２２２は、タイヤ周方向に沿った断面視において直線状である直線状部分２２４を有する。直線状部分２２４は、気室部２２０の端部２２０ｂ（図５参照）側に形成される。直線状部分２２４の一端（端部２２４ａ）は、曲線部分２２３の端部２２３ｂに連なるとともに、直線状部分２２４の他端（端部２２４ｂ）は、陸部２１１が路面と接地する接地面に連なる。
【００５７】
気室部２２０には、狭窄溝部２３０が連通する。具体的には、狭窄溝部２３０は、タイヤ周方向における気室部２２０の端部２２０ａに連通する。つまり、狭窄溝部２３０は、気室部２２０と路面ＲＳとによって形成される閉空間に連通する。また、狭窄溝部２３０は、周方向溝２１に連通する。狭窄溝部２３０と路面とによって形成される空間の容積は、凹部分２２１と路面とによって形成される空間の容積よりも小さい。
【００５８】
狭窄溝部２３０は、外溝部２３１と内溝部２３２とによって構成される。外溝部２３１は、周方向溝２１に連通し、気室部２２０の端部２２０ａまで延びる。内溝部２３２は、外溝部２３１に連通し、気室部２２０の端部２２０ｂ、具体的には直線状部分２２４の側方までタイヤ周方向に沿って延びる。第１実施形態において、内溝部２３２は、延在部分を構成する。内溝部２３２は、凹部分２２１と、陸部２１１が路面と接地する接地面との間に形成される。
【００５９】
図６に示すように、狭窄溝部２３０、具体的には、内溝部２３２の深さＤＰ２は、陸部２１１が路面と接地する接地面からの凹部分２２１の深さＤＰ１よりも深い。
【００６０】
図７は、空気入りタイヤ１０と路面ＲＳとによって形成されるヘルムホルツ型共鳴器Ｒ２の形状を示す。具体的には、図７は、トレッド幅方向視におけるヘルムホルツ型共鳴器Ｒ２の形状を示す。また、図８の一点鎖線で囲われた領域は、トレッド平面視におけるヘルムホルツ型共鳴器Ｒ２の形状を示す。
【００６１】
図７に示すように、凹部分２２１を有する気室部２２０と、外溝部２３１及び内溝部２３２によって構成される狭窄溝部２３０とは、ヘルムホルツ型共鳴器Ｒ２を構成する。ヘルムホルツ型共鳴器Ｒ２は、ヘルムホルツ型共鳴器Ｒ１と同様に、一端のみが開口し、他端などは閉口している。
【００６２】
図８は、リブ状陸部２１０及びリブ状陸部２４０の一部拡大平面図である。図８に示すように、気室部２２０は、トレッド面視において、気室部２２０の端部２２０ａから端部２２０ｂに行くに連れてトレッド幅方向の幅Ｗが狭くなる先細り状である。
【００６３】
また、凹部分２２１のトレッド幅方向（方向Ｄ２）及びタイヤ径方向（図中方向Ｄ３）のに沿った断面積Ｓ（図６参照）は、曲線部分２２３のタイヤ周方向における一端（端部２２３ａ）から他端（端部２２３ｂ）まで略同一である。
【００６４】
さらに、第１実施形態では、図８に示すように、リブ状陸部２１０に形成される気室部２２０のタイヤ周方向における位置は、リブ状陸部２４０に形成される気室部２５０の位置と異なる。具体的には、リブ状陸部２４０に形成される凹部分の接地面（陸部２４１）からの深さが最も深い位置（端部２２３ｂ）は、タイヤ周方向において、リブ状陸部２１０に形成される凹部分２２１の接地面（陸部２１１）からの深さが最も浅い位置（端部２２３ａ）と略同一である。
【００６５】
（３）作用・効果
空気入りタイヤ１０によれば、気室部１３０Ａ（１３０Ｂ）の底面１３２から陸部１２０Ａ（１２０Ｂ）が路面ＲＳと接地する接地面までの高さＨは、タイヤ周方向に沿って変化する。つまり、気室部１３０Ａの接地面からの深さがタイヤ周方向に沿って変化するため、気室部１３０Ａが小石などをかみ込んでも、かみ込んだ小石などが空気入りタイヤ１０の転動に伴ってタイヤ周方向に移動させられると、気室部１３０Ａから外れ易くなる。この結果、いわゆる「石かみ」の発生を抑制できる。
【００６６】
また、狭窄溝部１２１と気室部１３０Ａとによって、具体的には、狭窄溝部１２１と、間隔Ｐ毎に繰り返される複数の最高位置１３２ａが路面ＲＳと接することによって形成される気室によって、吸音したい周波数帯に対応したヘルムホルツ型共鳴器Ｒ１，Ｒ２が構成されるため、周方向溝１１などによる気柱管共鳴音を効果的に低減できる。
【００６７】
第１実施形態では、気室部１３０Ａの底面１３２は、タイヤ周方向と異なる方向に沿って路面ＲＳと線接触する。このため、気室部１３０Ａの空間を大きくすることが容易であり、吸音したい周波数帯に対応したヘルムホルツ型共鳴器を容易に構成できる。
【００６８】
第１実施形態では、狭窄溝部１２１の端部１２１ａは、底面１３２の最低位置１３２ｂにおいて、凹部分１３１に連通する。このため、空気入りタイヤ１０が一定量摩耗した後においてもヘルムホルツ型共鳴器の機能を維持できる。
【００６９】
第１実施形態では、気室部１３０Ａの底面１３２は、アーチ状を繰り返す。また、アーチ状を形成する円弧の中心は、底面１３２よりもタイヤ径方向内側に位置する。このため、ヘルムホルツ型共鳴器の機能を確保しつつ、より効果的に石かみを抑制できる。
【００７０】
第１実施形態では、気室部１３０Ａの底面１３２の最高位置１３２ａと、気室部１３０Ｂの底面の最高位置１３２ａとは、タイヤ周方向において、間隔Ｐの半位相ずれている。このため、路面ＲＳと接地する空気入りタイヤ１０のトレッド部分の剛性がタイヤ周方向において略均一となる。
【００７１】
また、空気入りタイヤ１０によれば、気室部２２０の凹部分２２１の深さＤＰ１は、気室部２２０の端部２２０ｂにおいて、気室部２２０の端部２２０ａよりも深い。また、凹部分２２１の底面２２２は、曲線部分２２３を有する。つまり、気室部２２０にかみ込んだ小石などは、曲線部分２２３、凹部分２２１の両側面（陸部２１１）の概ね３点で支持されることになるため、底面２２２が平面な場合と比較して、気室部２２０から外れ易い。この結果、「石かみ」の発生を抑制できる。
【００７２】
また、狭窄溝部２３０と気室部２２０とによって、吸音したい周波数帯に対応したヘルムホルツ型共鳴器が構成されるため、周方向溝２１などによる気柱管共鳴音を効果的に低減できる。
【００７３】
第１実施形態では、凹部分２２１の底面２２２は、曲線部分２２３及び接地面に連なる直線状部分２２４を有する。このため、かみ込んだ小石が空気入りタイヤ１０の転動に伴って移動させられると、曲線部分２２３に連なる直線状部分２２４を通じて小石などが気室部２２０から外れ易い。
【００７４】
狭窄溝部２３０は、気室部２２０の端部２２０ａに連通する。また、狭窄溝部２３０は、凹部分２２１の深さＤＰ１よりも深く、気室部２２０の端部２２０ｂまで延在する内溝部２３２を有する。さらに、内溝部２３２は、凹部分２２１と、陸部２１１（接地面）との間に形成される。このため、空気入りタイヤ１０が一定量摩耗した後においてもヘルムホルツ型共鳴器の機能を維持できる。
【００７５】
第１実施形態では、断面積Ｓは、曲線部分２２３の端部２２３ａから端部２２３ｂまで略同一である。また、リブ状陸部２４０に形成される接地面からの深さが最も深い位置（端部２２３ｂ）は、タイヤ周方向において、リブ状陸部２１０に形成される凹部分２２１の接地面からの深さが最も浅い位置（端部２２３ａ）と略同一である。このため、路面と接地する空気入りタイヤ１０のトレッド部分の剛性がタイヤ周方向において略均一となる。
【００７６】
［第２実施形態］
以下において、第２実施形態に係る空気入りタイヤ１０Ａについて、図面を参照しながら説明する。なお、上述した第１実施形態に係る空気入りタイヤ１０と同一部分には同一の符号を付して、相違する部分を主として説明する。
【００７７】
図９は、第２実施形態に係る空気入りタイヤ１０Ａの一部正面図である。なお、第２実施形態に係る空気入りタイヤ１０Ａの回転方向については、第２実施形態と同様に、図９の方向ＤＲである。
【００７８】
上述した第１実施形態では、気室部２２０の端部２２０ａは、気室部２２０の端部２２０ｂよりもタイヤ回転方向（方向ＤＲ）の前方に位置する。また、狭窄溝部１２１（細溝１２２）は、トレッド幅方向外側端がトレッド幅方向内側端よりもタイヤ回転方向の後方に位置する。
【００７９】
また、傾斜細溝３１１のトレッド幅方向外側端は、トレッド幅方向内側端よりもタイヤ回転方向の後方に位置する。さらに、傾斜細溝３２１のトレッド幅方向外側端は、トレッド幅方向内側端よりもタイヤ回転方向の前方に位置している。このように、第１実施形態に係る空気入りタイヤ１０、右上がりパターンを有している（図１参照）。
【００８０】
これに対して、第２実施形態では、図９に示すように、気室部２２０の端部２２０ａは、気室部２２０の端部２２０ｂよりもタイヤ回転方向（方向ＤＲ）の後方に位置する。つまり、外溝部２３１は、気室部２２０のタイヤ回転方向の後方に位置する端部２２０ａまで延びる。
【００８１】
また、狭窄溝部１２１は、トレッド幅方向外側端がトレッド幅方向内側端よりもタイヤ回転方向の前方に位置する。また、傾斜細溝３１１のトレッド幅方向外側端は、トレッド幅方向内側端よりもタイヤ回転方向の前方に位置する。さらに、傾斜細溝３２１のトレッド幅方向外側端は、トレッド幅方向内側端よりもタイヤ回転方向の後方に位置している。
【００８２】
このように、第２実施形態に係る空気入りタイヤ１０Ａは、左上がりパターンを有している。この場合、空気入りタイヤ１０Ａのバランスを考慮して、不図示のベルト層を構成するコードは、トレッド面視においてトレッドパターンとは逆側に傾斜している（すなわち、右上がりコードである）ことが好ましい。
【００８３】
［変更例］
以下において、本発明の変更例に係る気室部について、図面を参照しながら説明する。具体的には、（１）変更例１、（２）変更例２、（３）変更例３、（４）変更例４、（５）変更例５、（６）変更例６について説明する。なお、上述した第１実施形態に係る空気入りタイヤ１０や第２実施形態に係る空気入りタイヤ１０Ａと同一部分には同一の符号を付して、相違する部分を主として説明する。
【００８４】
（１）変更例１
図１０は、上述した第１実施形態の図２に対応する。具体的には、図１０は、本発明の変更例１に係る気室部を示す。
【００８５】
図１０に示すように、気室部１３０Ｃ，１３０Ｄの底面は、タイヤ周方向に沿った断面視において正弦波の形状である。上述した気室部１３０Ａ及び気室部１３０Ｂと同様に、気室部１３０Ｃの底面の最高位置１３２ａと、気室部１３０Ｂの底面の最高位置１３２ａとは、タイヤ周方向において、間隔Ｐの略半分ずれている。
【００８６】
このように底面の形状が正弦波の場合、路面と接地する空気入りタイヤ１０のトレッド部分の溝ボリューム（ネガティブ率）が、タイヤ周方向においてより均一になる。
【００８７】
（２）変更例２
図１１は、本発明の変更例２に係る気室部を示す。図１１に示すように、気室部１３０Ｅ，１３０Ｆの底面は、タイヤ周方向に沿った断面視において山形（三角形）である。なお、最高位置１３２ａの配置関係は、上述した第１実施形態と同様である。
【００８８】
（３）変更例３
図１２は、本発明の変更例３に係る気室部を示す。図１２に示すように、気室部１３０Ｇ，１３０Ｈの底面は、タイヤ周方向に沿った断面視において円弧を形成するアーチ状である点において上述した気室部１３０Ａ及び気室部１３０Ｂと同様である。
【００８９】
但し、気室部１３０Ｇ，１３０Ｈでは、気室部の底面を形成する円弧の中心は、底面よりもタイヤ径方向内側ではなく、タイヤ径方向外側に位置する。つまり、気室部１３０Ｇ，１３０Ｈの底面は、気室部１３０Ａ及び気室部１３０Ｂと比較すると逆アーチ状である。なお、最高位置１３２ａの配置関係は、上述した第１実施形態と同様である。
【００９０】
（４）変更例４
図１３（ａ）は、本発明の変更例４に係るリブ状陸部１１０Ａの一部を示す。図１３（ｂ）は、本発明の変更例４に係るリブ状陸部１１０Ａの断面（図１３（ａ）のＦ１３−Ｆ１３断面）を示す。
【００９１】
図１３（ａ）及び（ｂ）に示すように、リブ状陸部１１０Ａのタイヤ周方向（方向Ｄ１）に沿った縁部分には、面取り部１５０が形成される。具体的には、面取り部１５０は、トレッド幅方向及びタイヤ径方向に沿った断面（図１３（ｂ）参照）において、曲線（Ｒ状）によって構成される。
【００９２】
なお、面取り部１５０は、トレッド幅方向及びタイヤ径方向に沿った断面において、必ずしも曲線によって構成される必要はなく、傾斜面（いわゆる、テーパ状）であってもよい。
【００９３】
また、面取り部１５０は、必ずしもリブ状陸部１１０Ａのタイヤ周方向（方向Ｄ１）に沿った縁部分全体に形成される必要はなく、リブ状陸部１１０Ａのタイヤ周方向に沿った縁部分のうち、少なくとも狭窄溝部１２１と連通した部分に形成されていることが好ましい。
【００９４】
また、面取り部１５０は、必ずしもリブ状陸部１１０Ａのみに形成される必要はなく、リブ状陸部１１０Ａを構成する陸部１２０Ａ、陸部１２０Ｂ及び陸部１４０のぞれぞれのタイヤ周方向に沿った縁部分に形成されていてもよい。また、面取り部１５０は、リブ状陸部２１０，２４０（図１参照）のぞれぞれのタイヤ周方向に沿った縁部分に形成されていてもよい。
【００９５】
このような面取り部１５０が形成される（特に、面取り部１５０が曲線（Ｒ状）に構成される）ことによって、摩耗時の狭窄溝部１２１の体積（大きさ）の減少を抑制でき、ヘルムホルツ型共鳴器の機能をより長く持続できる。このため、石かみの抑制とヘルムホルツ型共鳴器の機能とを両立できる。
【００９６】
（５）変更例５
図１４は、トレッド平面視における気室部１３０Ａ及び気室部１３０Ｂ近傍を示す。図１４に示すように、気室部１３０Ａ及び気室部１３０Ｂにおける底面１３２の最高位置１３２ａは、トレッド面視において、細溝１２２と略同一方向となるように、トレッド幅方向に傾斜する。すなわち、最高位置１３２ａのトレッド幅方向における外側端１３２ｅ１と、最高位置１３２ａのトレッド幅方向における内側端１３２ｅ２とは、トレッド幅方向に対してずれている。
【００９７】
同様に、底面１３２の最低位置１３２ｂは、トレッド面視において、狭窄溝部１２１と略同一方向となるように、トレッド幅方向に傾斜する。すなわち、最低位置１３２ｂのトレッド幅方向における外側端１３２ｅ３と、最低位置１３２ｂのトレッド幅方向における内側端１３２ｅ４とは、トレッド幅方向に対してずれている。
【００９８】
このような最高位置１３２ａや最低位置１３２ｂである場合、空気入りタイヤ１０の新品時や一定量摩耗した後においても、気室部１３０Ａ及び気室部１３０Ｂ（例えば、最高位置１３２ａ）が集中して路面ＲＳに接することを防止できる。このため、空気入りタイヤ１０と路面ＲＳとの衝撃によるパターンノイズを効果的に低減できる。
【００９９】
（６）変更例６
図１５（ａ）は、本発明の変更例５に係るリブ状陸部１１０Ｂの一部斜視図である。図１５（ｂ）は、本発明の変更例５に係るリブ状陸部１１０Ｂの断面（図１５（ａ）のＦ１５−Ｆ１５断面）を示す。
【０１００】
図１５（ａ）及び（ｂ）に示すように、リブ状陸部１１０Ｂを構成する陸部１２０Ａ，１４０と気室部１３０Ａとの間には、周方向サイプ３０が形成される。周方向サイプ３０は、タイヤ周方向（方向Ｄ１）に沿って延びるとともに、タイヤ周方向における両端が凹部分１３１に連通する。同様に、リブ状陸部１１０Ａを構成する陸部１２０Ｂ，１４０と気室部１３０Ｂとの間にも、周方向サイプ３０が形成される。
【０１０１】
なお、周方向サイプ３０の両端は、必ずしも凹部分１３１に連通する必要はなく、少なくとも何れか一端が凹部分１３１に連通していればよい。
【０１０２】
このような周方向サイプ３０が形成される場合、周方向サイプ３０が形成されていない場合と比較して、空気入りタイヤ１０が一定量摩耗した後において、陸部１２０Ａ，１２０Ｂ，１４０や気室部１３０Ａ，１３０Ｂの圧縮剛性が低くなる。このため、路面ＲＳの凹凸による振動が空気入りタイヤ１０に伝わり難くなり、パターンノイズを効果的に低減できる。
【０１０３】
［その他の実施形態］
上述したように、本発明の実施形態を通じて本発明の内容を開示したが、この開示の一部をなす論述及び図面は、本発明を限定するものであると理解すべきではない。この開示から当業者には様々な代替実施の形態、実施例が明らかとなる。例えば、本発明の実施形態は、次のように変更することができる。
【０１０４】
上述した変更例以外にも、気室部の底面形状は、ジグザク状、階段状、直線と円弧の組合せなどであってもよい。
【０１０５】
上述した第１実施形態や第２実施形態では、気室部１３０Ａと気室部１３０Ｂとのタイヤ周方向における位置、及び気室部２２０と気室部２５０とのタイヤ周方向における位置関係は、空気入りタイヤ１０のトレッド部分の剛性をタイヤ周方向において均一にするため、一致していなかったが、必ずしもこのような位置関係にしなくてもよい。
【０１０６】
上述した第１実施形態や第２実施形態では、狭窄溝部２３０は、気室部２２０の端部２２０ａに連通するとともに、端部２２０ｂまで延在する内溝部２３２を有していたが、狭窄溝部２３０は、必ずしもこのような形状でなくても構わない。例えば、狭窄溝部２３０は、気室部２２０の中央部分に連通するようにしてもよい。同様に、狭窄溝部１２１の端部１２１ａは、必ずしも底面１３２の最低位置１３２ｂにおいて凹部分１３１に連通しなくても構わない。
【０１０７】
上述した第１実施形態や第２実施形態では、陸部１２０Ａに細溝１２２が形成されていたが、細溝１２２は、形成されなくてもよい。また、上述した実施形態では、気室部１３０Ａと気室部１３０Ｂとは、同一のリブ状陸部に設けられていたが、両気室部は、別個のリブ状陸部にそれぞれ設けてもよい。
【０１０８】
上述した第１実施形態や第２実施形態では、周方向溝１１，１２，２１，２２は、タイヤ周方向に沿って直線状に延びていたが、周方向溝は、タイヤ周方向に沿って延びていれば、必ずしも直線状に限らず、ジグザグ状や波形状でもよい。
【０１０９】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【０１１０】
１０…空気入りタイヤ、１１，１２，２１，２２…周方向溝、１１０…リブ状陸部、１２０Ａ，１２０Ｂ…陸部、１２１…狭窄溝部、１２１ａ，１２１ｂ…端部、１２２…細溝、１３０Ａ〜１３０Ｈ…気室部、１３１…凹部分、１３２…底面、１３２ａ…最高位置、１３２ｂ…最低位置、１４０…陸部、２１０…リブ状陸部、２１１…陸部、２２０…気室部、２４０…リブ状陸部、２２０ａ，２２０ｂ…端部、２２１…凹部分、２２２…底面、２２３…曲線部分、２２４…直線状部分、２２３ａ，２２３ｂ，２２４ａ，２２４ｂ…端部、２３０…狭窄溝部、２３１…外溝部、２３２…内溝部、２４１…陸部、２５０…気室部、ＣＴ１，ＣＴ２…中心、ＤＰ１，ＤＰ２…深さ、Ｈ…高さ、Ｐ…間隔、Ｒ１，Ｒ２…ヘルムホルツ型共鳴器、ＲＳ…路面、Ｓ…断面積、Ｗ…幅
【図１】
2011006048.tif 000003
【図２】
2011006048.tif 000004
【図３】
2011006048.tif 000005
【図４】
2011006048.tif 000006
【図５】
2011006048.tif 000007
【図６】
2011006048.tif 000008
【図７】
2011006048.tif 000009
【図８】
2011006048.tif 000010
【図９】
2011006048.tif 000011
【図１０】
2011006048.tif 000012
【図１１】
2011006048.tif 000013
【図１２】
2011006048.tif 000014
【図１３】
2011006048.tif 000015
【図１４】
2011006048.tif 000016
【図１５】
2011006048.tif 000017
【手続補正書】
【提出日】平成22年5月10日(2010.5.10)
【手続補正１】
【補正対象書類名】特許請求の範囲
【補正対象項目名】全文
【補正方法】変更
【補正の内容】
【特許請求の範囲】
【請求項１】
タイヤ周方向に沿って延びる周方向溝に隣接し、タイヤ周方向に沿って延びるリブ状陸部を備えるタイヤであって、
タイヤ径方向内側に向かって凹んだ凹部分がタイヤ周方向に沿って所定の間隔で繰り返す気室部と、
前記凹部分に連通する狭窄溝部と
が前記リブ状陸部に形成され、
前記気室部の底面から前記リブ状陸部が路面と接地する接地面までの高さは、タイヤ周方向に沿って変化し、
前記狭窄溝部と前記路面とによって形成される空間の容積は、前記凹部分と前記路面とによって形成される空間の容積よりも小さく、
前記狭窄溝部の一端は、前記気室部と前記路面とによって形成される閉空間に連通するとともに、前記狭窄溝部の他端は、前記周方向溝に連通し、
前記気室部の底面は、前記接地面までの高さが最も高い最高位置において、前記路面と接触し、
互いに隣接する２つの前記最高位置間の前記底面と、前記陸部に接する路面とによって前記気室部が形成されるタイヤ。
【請求項２】
前記気室部の底面は、タイヤ周方向と異なる方向に沿って前記路面と線接触する請求項１に記載のタイヤ。
【請求項３】
前記狭窄溝部の一端は、前記底面の位置が最も低い最低位置において、前記凹部分に連通する請求項２に記載のタイヤ。
【請求項４】
前記気室部の底面は、タイヤ周方向に沿った断面視において、円弧を形成するアーチ状を繰り返す請求項２に記載のタイヤ。
【請求項５】
前記円弧の中心は、前記底面よりもタイヤ径方向内側に位置する請求項４に記載のタイヤ。
【請求項６】
前記気室部の底面は、タイヤ周方向に沿った断面視において正弦波の形状である請求項２に記載のタイヤ。
【請求項７】
前記気室部は、
第１気室部と、
トレッド幅方向において前記第１気室部と異なる位置に設けられる第２気室部と
を含み、
前記第２気室部の底面の形状は、前記第１気室部の底面の形状と略同一であり、
前記第１気室部と前記第２気室部とは、前記凹部分が前記所定の間隔で繰り返し、
前記第１気室部の底面の前記最高位置と、前記第２気室部の底面の前記最高位置とは、タイヤ周方向において、前記所定の間隔の半位相ずれている請求項２に記載のタイヤ。
【請求項８】
前記第１気室部と前記第２気室部とは、同一の前記リブ状陸部に設けられる請求項７に記載のタイヤ。
【請求項９】
前記リブ状陸部のタイヤ周方向に沿った縁部分のうち、少なくとも前記狭窄溝部と連通した部分には、面取り部が形成され、
前記面取り部は、トレッド幅方向及びタイヤ径方向に沿った断面において、曲線によって構成される請求項２に記載のタイヤ。
【請求項１０】
前記気室部の前記底面の位置が最も高い最高位置は、トレッド面視において、トレッド幅方向に傾斜する請求項２に記載のタイヤ。
【請求項１１】
前記気室部の前記底面の位置が最も低い最低位置は、トレッド面視において、トレッド幅方向に傾斜する請求項２に記載のタイヤ。
【請求項１２】
前記リブ状陸部と前記気室部との間には、タイヤ周方向に沿って延びるとともに、少なくとも一端が前記凹部分に連通する周方向サイプが形成される請求項２に記載のタイヤ。
【手続補正書】
【提出日】平成22年9月15日(2010.9.15)
【手続補正１】
【補正対象書類名】特許請求の範囲
【補正対象項目名】全文
【補正方法】変更
【補正の内容】
【特許請求の範囲】
【請求項１】
タイヤ周方向に沿って延びる周方向溝に隣接し、タイヤ周方向に沿って延びるリブ状陸部を備えるタイヤであって、
タイヤ径方向内側に向かって凹んだ凹部分がタイヤ周方向に沿って所定の間隔で繰り返す気室部と、
前記凹部分に連通する狭窄溝部と
が前記リブ状陸部に形成され、
前記気室部の底面から前記リブ状陸部が路面と接地する接地面までの高さは、タイヤ周方向に沿って変化し、
前記狭窄溝部と前記路面とによって形成される空間の容積は、前記凹部分と前記路面とによって形成される空間の容積よりも小さく、
前記狭窄溝部の一端は、前記気室部と前記路面とによって形成される閉空間に連通するとともに、前記狭窄溝部の他端は、前記周方向溝に連通し、
前記気室部の底面は、前記接地面までの高さが最も高い最高位置において、前記路面と接触し、
互いに隣接する２つの前記最高位置間の前記底面と、前記陸部に接する路面とによって前記気室部が形成されるタイヤ。